(57)【要約】【課題】一方（左側）のヘッドホン組立体と他方（右側）のヘッドホン組立体との間に掛け渡した渡りコードを巻き取る。【解決手段】左右の耳のうちで一方の耳に対応した一方（左側）のヘッドホンハウジング１２Ｌ内に、小型スピーカー２０と、ＡＶ機器接続用の入力コード４１を巻き取るコード巻き取り装置３０とを収納した一方（左側）のヘッドホン組立体１１Ｌと、前記左右の耳のうちで他方の耳に対応した他方（右側）のヘッドホンハウジング１２Ｒ内に、小型スピーカー２０と、前記一方のヘッドホンハウジング１２Ｌから前記他方のヘッドホンハウジング１２Ｒに掛け渡した渡りコード４２を巻き取るコード巻き取り装置３０とを収納した他方（右側）のヘッドホン組立体１１Ｒとを具備したことを特徴とするコード巻き取り装置付きヘッドホン１０を提供する。【選択図】図１
2008312254.tif 000002
【特許請求の範囲】
【請求項１】
スピーカーと、
前記スピーカーを収納した第１の枠体と、
一端が前記スピーカーに電気的に接続され他端にプラグを有する入力コードと、
前記入力コードをバネ力により巻き取るコード巻き取り手段と、
前記コード巻き取り手段を収納した第２の枠体と、を備え、
前記第１の枠体と前記第２の枠体とが、音響的に分離した状態で突き合わされて一体的に結合されていることを特徴とするコード巻き取り装置付きヘッドホン。
【請求項２】
前記第１の枠体は、前記スピーカーの裏面側に外部と連通した孔を有することを特徴とする請求項１記載のコード巻き取り装置付きヘッドホン。
【請求項３】
それぞれスピーカーを内蔵した第１及び第２のヘッドホンハウジングと、
前記第１のヘッドホンハウジングの内部に一端が接続され他端にプラグを有する入力コードと、
前記第２のヘッドホンハウジングの内部に一端が接続され前記第１のヘッドホンハウジングに他端が接続された渡りコードと、
前記第２のヘッドホンハウジングの内部に設けられバネ力により前記渡りコードを巻き取るコード巻き取り手段と、
前記コード巻き取り手段のコード巻き取りを規制する巻き取りロック手段と、
前記巻き取りロック手段による規制を解除するロック解除手段と、を備え、
前記第１のヘッドホンハウジングは、その外面に外方向に突出する凸部を有し、
前記第２のヘッドホンハウジングは、前記凸部を挿入可能な孔を有し、
前記ロック解除手段は、前記孔に前記凸部が挿入された際に前記巻き取りロック手段による規制を解除するよう構成されたことを特徴とするコード巻き取り装置付きヘッドホン。
【発明の詳細な説明】
【技術分野】
【０００１】
本発明は、左右一対のヘッドホンハウジングの内部に、ＡＶ（Audio Video)機器から出力された左右（ＬＲ）の音声信号をそれぞれ音声に変換する一対の小型スピーカーと、ＡＶ機器に接続する入力コード及び左右一対のヘッドホンハウジング間に掛け渡した渡りコードをそれぞれ巻き取る一対のコード巻き取り装置とを収納した左右一対のヘッドホン組立体を具備したコード巻き取り装置付きヘッドホンに関するものである。
【背景技術】
【０００２】
一般的に、ヘッドホンは、携帯型のＭＤ(Mini Disc) プレーヤ，携帯型のＣＤ(Compact Disc)  プレーヤ，携帯型の液晶テレビなどのＡＶ（Audio Video)機器から出力された左右（ＬＲ）の音声信号を入力コードを介して左右一対のヘッドホンハウジングの一方に入力し、且つ、一方のヘッドホンハウジングから他方のヘッドホンハウジングに渡りコードを介して入力し、これら左右（ＬＲ）の音声信号を左右一対のヘッドホンハウジング内に収納した一対の小型スピーカーにより左右の耳もとで音声に変換するように一対のヘッドホン組立体が構成されているものであり、この種のヘッドホンのうちでヘッドバンドを用いない耳掛け式のヘッドホンが最近多用されている。
【０００３】
この耳掛け式のヘッドホンの一例として、上記したＡＶ機器と接続する入力コードを一方のヘッドホンハウジング内に収納したコード巻き取り装置に巻き取り、且つ、入力コードの先端に取り付けた入力プラグを一方のヘッドホンハウジング内に納めることができるコード巻き取り装置付きヘッドホンが開発されている。（例えば、特許文献１参照）。
【特許文献１】特開２００２−１０３８５号公報（第５−７頁、第１図，第２図，第８図）。
【０００４】
図１６は従来のコード巻き取り装置付きヘッドホンを人間の左右の耳に装着した状態を説明するための図、
図１７は従来のコード巻き取り装置付きヘッドホンにおいて、使用時に入力コードを一方のヘッドホンハウジング内から引き出した状態を示した図、
図１８は従来のコード巻き取り装置付きヘッドホンにおいて、不使用時に入力コードを一方のヘッドホンハウジング内に巻き取った状態を示した図である。
【０００５】
図１６〜図１８に示した従来のコード巻き取り装置１００は、上記した特許文献１（特開２００２−１０３８５号公報）に開示されているものであり、ここでは特許文献１を参照して簡略に説明する。
【０００６】
まず、図１６に示した如く、従来のコード巻き取り装置付きヘッドホン１００では、左右一対のヘッドホン組立体１０１Ｌ，１０１Ｒが人間の左右の耳に対応して略左右対称に構成されている。
【０００７】
即ち、左右一対のヘッドホン組立体１０１Ｌ，１０１Ｒは、外形を形成する左右一対のヘッドホンハウジング１０２Ｌ，１０２Ｒの内部に、一対の小型スピーカー（図示せず）を左右対称に収納し、且つ、左側のヘッドホンハウジング１０２Ｌの内部のみにコード巻き取り装置（図示せず）を収納し、更に、左右一対のヘッドホンハウジング１０２Ｌ，１０２Ｒの外部に左右一対の耳掛け１０３Ｌ，１０３Ｒを左右対称に取り付けて構成されている。
【０００８】
そして、従来のコード巻き取り装置付きヘッドホン１００を使用する時には、左右一対のヘッドホン組立体１０１Ｌ，１０１Ｒを左右一対の耳掛け１０３Ｌ，１０３Ｒにより左右の耳に装着している。
【０００９】
ここで、左側の耳に装着されるヘッドホン組立体１０１Ｌには、ＡＶ機器と接続するために入力プラグ１０４を先端に取り付けたＡＶ機器接続用の入力コード１０５が左側のヘッドホンハウジング１０２Ｌ内に収納したコード巻き取り装置（図示せず）に巻き取り可能に設けられており、入力プラグ１０４をＡＶ機器に差し込むことにより、ＡＶ機器から出力された左右（ＬＲ）の音声信号が入力コード１０５を介して左側のヘッドホン組立体１０１Ｌ内に取り込めるようになっている。そして、左側のヘッドホン組立体１０１Ｌ内に入力した左右の音声信号のうちで左側の音声信号は、左側のヘッドホンハウジング１０２Ｌ内に収納した小型スピーカー（図示せず）から左耳側に出力されている。
【００１０】
一方、左側のヘッドホン組立体１０１Ｌから右側のヘッドホン組立体１０１Ｒに向かって渡りコード１０６が接続されており、この渡りコード１０６を介して右側の音声信号が右側のヘッドホンハウジング１０２Ｒ内に収納した小型スピーカー（図示せず）から右耳側に出力されている。この際、渡りコード１０６には、Ｕ字状に束ねて自由になる長さを調整するスライダ１０７が摺動自在に保持されている。
【００１１】
従って、従来のコード巻き取り装置付きヘッドホン１００を使用する時には、図１７に示したように、左側のヘッドホン組立体１０１Ｌ側に設けた入力コード１０５を左側のヘッドホンハウジング１０２Ｌ内から引き出して、この入力コード１０５の先端に取り付けた入力プラグ１０４をＡＶ機器に差し込んでいる。
【００１２】
次に、従来のコード巻き取り装置付きヘッドホン１００を使用しない不使用時には、図１８に示した如く、左側のヘッドホン組立体１０１Ｌ側では、入力コード１０５の先端に取り付けた入力プラグ１０４の先端を左側のヘッドホンハウジング１０２Ｌに一体的に突出形成した突出部１０２Ｌａの孔内に収納することで、入力コード１０５を左側のヘッドホンハウジング１０２Ｌ内に収納したコード巻き取り装置（図示せず）に巻き取っている。
【００１３】
一方、右側のヘッドホン組立体１０１Ｒ側では、渡りコード１０６がスライダ１０７によってＵ字状に束ねられたまま露出している。
【発明の開示】
【発明が解決しようとする課題】
【００１４】
ところで、上記した従来のコード巻き取り装置付きヘッドホン１００において、左側のヘッドホンハウジング１０２Ｌ内には、左側の音声を出力する小型スピーカー（図示せず）と、ＡＶ機器接続用の入力コード１０５を巻き取るコード巻き取り装置（図示せず）とが収納され、一方、右側のヘッドホンハウジング１０２Ｒ内には、右側の音声を出力する小型スピーカー（図示せず）のみが収納されている。
【００１５】
上記の構造により、従来のコード巻き取り装置付きヘッドホン１００を使用しない不使用時に、図１８に示した如く、入力コード１０５は左側のヘッドホンハウジング１０２Ｌ内に巻き取られるものの、渡りコード１０６は左側のヘッドホンハウジング１０２Ｌと右側のヘッドホンハウジング１０２Ｒとの間に露出したままの状態となるので、この渡りコード１０６の収納処理ができず煩わしいものとなっていると共に、外観上での見栄えも悪いので問題である。
【００１６】
更に、上記の構造により、左側のヘッドホンハウジング１０２Ｌの内部に比較して右側のヘッドホンハウジング１０２Ｒの内部はコード巻き取り装置がない分だけ空洞になってしまっているため、これにより、従来のコード巻き取り装置付きヘッドホン１００を使用した時に、一対の小型スピーカーから出力された各音声の一部が左右一対のヘッドホンハウジング１０２Ｌ，１０２Ｒの内部でアンバランスに反響されるので、左右の音質特性に差が出てしまい、左右の音声信号をバランス良く音声に変換することができず問題である。
【００１７】
そこで、ＡＶ機器接続用の入力コードを一方のヘッドホンハウジング内に巻き取り、且つ、一方のヘッドホンハウジングと他方のヘッドホンハウジングとの間に掛け渡した渡りコードを他方のヘッドホンハウジング内に巻き取ることができ、更に、左右のヘッドホンハウジング内に小型スピーカーとコード巻き取り装置とをそれぞれ収納することで、左右のヘッドホンハウジングの内部が同じ音響環境となり、左右の音質特性をバランス良く得られることができるコード巻き取り装置付きヘッドホンが望まれている。
【課題を解決するための手段】
【００１８】
本発明は上記課題に鑑みてなされたものであり、第１の発明は、スピーカーと、
前記スピーカーを収納した第１の枠体と、
一端が前記スピーカーに電気的に接続され他端にプラグを有する入力コードと、
前記入力コードをバネ力により巻き取るコード巻き取り手段と、
前記コード巻き取り手段を収納した第２の枠体と、を備え、
前記第１の枠体と前記第２の枠体とが、音響的に分離した状態で突き合わされて一体的に結合されていることを特徴とするコード巻き取り装置付きヘッドホンである。
【００１９】
また、第２の発明は、上記した第１の発明のコード巻き取り装置付きヘッドホンにおいて、
前記第１の枠体は、前記スピーカーの裏面側に外部と連通した孔を有することを特徴とするコード巻き取り装置付きヘッドホンである。
【００２０】
更に、第３の発明は、それぞれスピーカーを内蔵した第１及び第２のヘッドホンハウジングと、
前記第１のヘッドホンハウジングの内部に一端が接続され他端にプラグを有する入力コードと、
前記第２のヘッドホンハウジングの内部に一端が接続され前記第１のヘッドホンハウジングに他端が接続された渡りコードと、
前記第２のヘッドホンハウジングの内部に設けられバネ力により前記渡りコードを巻き取るコード巻き取り手段と、
前記コード巻き取り手段のコード巻き取りを規制する巻き取りロック手段と、
前記巻き取りロック手段による規制を解除するロック解除手段と、を備え、
前記第１のヘッドホンハウジングは、その外面に外方向に突出する凸部を有し、
前記第２のヘッドホンハウジングは、前記凸部を挿入可能な孔を有し、
前記ロック解除手段は、前記孔に前記凸部が挿入された際に前記巻き取りロック手段による規制を解除するよう構成されたことを特徴とするコード巻き取り装置付きヘッドホンである。
【発明の効果】
【００２１】
上記した第１の発明のコード巻き取り装置付きヘッドホンによると、スピーカーと、スピーカーを収納した第１の枠体と、一端がスピーカーに電気的に接続され他端にプラグを有する入力コードと、入力コードをバネ力により巻き取るコード巻き取り手段と、コード巻き取り手段を収納した第２の枠体と、を備えた際に、第１の枠体と第２の枠体とが、音響的に分離した状態で突き合わされて一体的に結合されているために、第１の枠体に収納したスピーカーは、コード巻き取り手段を収納した第２の枠体に影響されることなく、良好な音質特性を維持することができる。
【００２２】
また、上記した第２の発明のコード巻き取り装置付きヘッドホンによると、上記した第１の発明のコード巻き取り装置付きヘッドホンにおいて、第１の枠体は、スピーカーの裏面側に外部と連通した孔を有しているので、上記した第１の発明の効果が得られる他に、スピーカーの裏側では孔から空気が外部に抜き出されるために、第１の枠体内で反響音が生じなくなり、スピーカーから音質の良い音声を出力することができる。
【００２３】
更に、上記した第３の発明のコード巻き取り装置付きヘッドホンによると、それぞれスピーカーを内蔵した第１及び第２のヘッドホンハウジングと、第１のヘッドホンハウジングの内部に一端が接続され他端にプラグを有する入力コードと、第２のヘッドホンハウジングの内部に一端が接続され第１のヘッドホンハウジングに他端が接続された渡りコードと、第２のヘッドホンハウジングの内部に設けられバネ力により渡りコードを巻き取るコード巻き取り手段と、コード巻き取り手段のコード巻き取りを規制する巻き取りロック手段と、巻き取りロック手段による規制を解除するロック解除手段と、を備えた際に、第１のヘッドホンハウジングは、その外面に外方向に突出する凸部を有し、第２のヘッドホンハウジングは、凸部を挿入可能な孔を有し、ロック解除手段は、孔に凸部が挿入された際に巻き取りロック手段による規制を解除するよう構成されているために、渡りコードを巻き取る際にヘッドホンハウジグ内にコード巻取り手段などを組み立てた左右一対のヘッドホン組立体を使用者の左右の耳から取り外さないかぎり、第１のヘッドホンハウジングの凸部を第２のヘッドホンハウジングの孔に挿入できず、渡りコードをヘッドホン組立体内に巻き取ることができないため、渡りコードが使用者の首にひっかかったり、あるいは、渡りコードの巻き取り力でヘッドホン組立体が耳から外れるなどの問題が発生する恐れが全くないので、コード巻き取り装置付きヘッドホンに対して安全性及び使用勝手を向上させることができる。
【発明を実施するための最良の形態】
【００２４】
以下に本発明に係るコード巻き取り装置付きヘッドホンの一実施例を図１乃至図１５を参照して詳細に説明する。
【００２５】
本発明に係るコード巻き取り装置付きヘッドホンでは、左右の耳のうちで一方の耳に対応した一方のヘッドホンハウジング内に、小型スピーカーと、ＡＶ機器接続用の入力コードを巻き取るコード巻き取り装置とを収納した一方のヘッドホン組立体と、左右の耳のうちで他方の耳に対応した他方のヘッドホンハウジング内に、小型スピーカーと、一方のヘッドホンハウジングから他方のヘッドホンハウジングに掛け渡した渡りコードを巻き取るコード巻き取り装置とを収納した他方のヘッドホン組立体とを具備したことを特徴とするものであり、以下に説明する実施例１，２では一方の耳側を左耳側に対応させ、且つ、他方の耳を右耳側に対応させているが、上記とは逆に左右を反転して対応させることも可能である。
【００２６】
尚、以下に説明する実施例１，２において、本発明に係るコード巻き取り装置付きヘッドホンにおける技術的思想は、左右一対のヘッドホン組立体の外形を形成する一対のヘッドホンハウジングの外部に左右一対の耳掛けを取り付けた状態で使用可能な耳掛け方式に適用した場合について説明するが、これに限ることなく、ここでの図示を省略するものの、左右一対のヘッドホン組立体をヘッドバンドで結合した状態で使用可能なヘッドバンド方式にも適用可能である。
【実施例１】
【００２７】
図１は本発明に係る実施例１のコード巻き取り装置付きヘッドホンを断面して示した構成図、
図２は図１に示した左右一対のヘッドホンハウジングを分解して示した分解斜視図、
図３は図１に示したコード巻き取り装置を分解して示した分解斜視図、
図４は本発明に係る実施例１のコード巻き取り装置付きヘッドにおいて、左側のヘッドホン組立体を示した平面図、
図５は本発明に係る実施例１のコード巻き取り装置付きヘッドにおいて、右側のヘッドホン組立体を示した平面図、
図６は本発明に係る実施例１のコード巻き取り装置付きヘッドホンにおいて、使用時に入力コード及び渡りコードを左右一対のヘッドホンハウジング内からそれぞれ引き出した状態を示した図、
図７は入力プラグから入力コード及び渡りコードを介して左右一対の小型スピーカーに結線した状態を説明するための図、
図８は本発明に係る実施例１のコード巻き取り装置付きヘッドホンにおいて、不使用時に入力コード及び渡りコードを左右一対のヘッドホンハウジング内にそれぞれ巻き取った第１状態を示した図、
図９は本発明に係る実施例１のコード巻き取り装置付きヘッドホンにおいて、不使用時に入力コード及び渡りコードを左右一対のヘッドホンハウジング内にそれぞれ巻き取った第２状態を示した図である。
【００２８】
図１に示した如く、本発明に係る実施例１のコード巻き取り装置付きヘッドホン１０では、左右一対のヘッドホン組立体１１Ｌ，１１Ｒが人間の左右の耳に対応して略左右対称に構成されている。
【００２９】
即ち、左右一対のヘッドホン組立体１１Ｌ，１１Ｒは、外形を形成する左右一対のヘッドホンハウジング１２Ｌ，１２Ｒの内部に、ＡＶ（Audio Video)機器から出力された左右（ＬＲ）の音声信号を入力プラグ４０を先端に取り付けた入力コード４１を介してそれぞれ音声に変換する一対の小型スピーカー２０，２０と、上記した入力コード４１及び左右一対のヘッドホンハウジング１２Ｌ，１２Ｒとの間に掛け渡した渡りコード４２とをそれぞれ巻き取る一対のコード巻き取り装置３０，３０とが収納されていると共に、左右一対のヘッドホンハウジング１２Ｌ，１２Ｒの外側に左右一対の耳掛け４５Ｌ，４５Ｒの各一端を取り付けて構成されている。
【００３０】
この際、左右一対のヘッドホンハウジング１２Ｌ，１２Ｒは、第１〜第５枠体１３〜１７を組み合わせて形成されているが、これらの第１〜第５枠体１３〜１７については後で詳述する。
【００３１】
また、入力コード４１の長さは約１０００ｍｍ程度に設定され、一方、渡りコード４２の長さは約５５０ｍｍ程度に設定されている。
【００３２】
また、左右一対の耳掛け４５Ｌ，４５Ｒは、各一端と反対側の各他端に柔軟性を有する樹脂材などで成形した左右一対の耳掛けパッド４６Ｌ，４６Ｒを左右対称に嵌め込むことで、左右の耳裏への感触性能を高めている。
【００３３】
ここで、図２に分解して示した如く、左右一対のヘッドホンハウジング１２Ｌ，１２Ｒは、絶縁性を有する樹脂材を用いて成形した計５点の第１〜第５枠体１３〜１７を組み合わせて左右共通に枠組みされており、且つ、両者１２Ｌ，１２Ｒは共用可能に形成されている。
【００３４】
そして、上記した第１〜第５枠体１３〜１７のうちで、第１，第２枠体１３，１４は小型スピーカー２０（図１）を収納するために耳側に設けた内側枠体となり、且つ、第３〜第５枠体１５〜１７はコード巻き取り装置３０（図１）を収納するために耳側から離れて設けた外側枠体となり、内側枠体（１３，１４）と外側枠体（１５〜１７）とを音響的に分離させた状態で突き合わせて一体的に結合することで、左側のヘッドホンハウジング１２Ｌと右側のヘッドホンハウジング１２Ｒとが枠組みされている。
【００３５】
より具体的に第１〜第５枠体１３〜１７について順に説明すると、まず、第１枠体１３はカップ状に形成されており、且つ、表面１３ａには小型スピーカー２０（図１）で変換された音声を耳側に出力するために複数の丸孔１３ａ１が形成され、この表面１３ａが柔軟性を有するイヤーパッド（図示せず）で覆われて耳に当接するようになっている。また、第１枠体１３の裏面１３ｂ側には、円周に沿って略３等分した部位に係止爪１３ｂ１が下方に向かって突出形成されており、これら３箇所の係止爪１３ｂ１は下記する第２枠体１４と結合するためのものである。
【００３６】
次に、第２枠体１４はリング状に形成されており、内周リング部１４ａと外周リング部１４ｂとの間を円周に沿って略６等分して設けた６本のステイ部１４ｃで連結することで、この上面側と第１枠体１３との間に小型スピーカー２０（図１）が収納可能になっている。また、第２枠体１４の内周リング部１４ａと外周リング部１４ｂとの間で且つ６本のステイ部１４ｃ間には、６個の空気抜き孔１４ｄが貫通して穿設されており、これら６個の空気抜き孔１４ｄにより、小型スピーカー２０（図１）の裏側の空気を外部に抜き出すことができるようになっている。
【００３７】
また、第２枠体１４の内周リング部１４ａの下部には、円周に沿って略３等分した部位に係止爪１４ａ１が下方に向かって突出形成されており、これら３箇所の係止爪１４ａ１は下記する第３枠体１５と結合するためのものである。更に、第２枠体１４の外周リング部１４ｂには、円周に沿って略３等分した部位に切り欠き部１４ｂ１が凹状に形成されており、これら３箇所の切り欠き部１４ｂ１に第１枠体１３に形成した３箇所の係止爪１３ｂ１が着脱自在に係合できるようになっている。
【００３８】
そして、第１枠体１３と第２枠体１４との間に小型スピーカー２０（図１）を収納した後に、第１枠体１３に形成した３箇所の係止爪１３ｂ１と第２枠体１４に形成した３箇所の切り欠き部１４ｂ１との係合により第１，第２枠体１３と，１４を結合して、耳側の内側枠体として枠組みしている。
【００３９】
次に、第３枠体１５は、円板部１５ａに沿ってリング状外周面１５ｂが下方に向かって高さを高くして略円筒状に形成されており、且つ、リング状外周面１５ｂの内部で円板部１５ａの裏面中心部位に軸部１５ｃが一体的に下方に向かって突出形成されている。そして、第３枠体１５のリング状外周面１５ｂと軸部１５ｃとの間に形成された内部空間にコード巻き取り装置３０（図１）が軸部１５ｃを中心にして収納可能になっている。
【００４０】
更に、第３枠体１５の円板部１５ａ上で軸部１５ｃの近傍にワイヤ孔１５ａ１が貫通して穿設されている。このワイヤ孔１５ａ１は、後述するように第３枠体１５の内部から円板部１５ａの内面上に貼り付けた配線基板３１（図１，図３）で密閉されると共に、配線基板３１にハンダ付けしたワイヤ３２（図１，図３）を通すために形成したものである。
【００４１】
また、第３枠体１５のリング状外周面１５ｂの外側の一部から突出部１５ｄがアーム状に一体的に突出形成され、更に、突出部１５ｄの内部に段付き孔１５ｄ１が大径孔と小径孔とを同心的に連設して貫通されている。
【００４２】
そして、段付き孔１５ｄ１の大径孔内には、左側の耳掛け４５Ｌ（図１）の一端又は右側の耳掛け４５Ｒ（図１）の一端が支持されると共に、段付き孔１５ｄ１の小径孔内には、後述するように左側のヘッドホン組立体１１Ｌ側に設けた入力プラグ４０のプラグ・スリーブ４０ａ（図４，図８）又は入力プラグ４０の凸部４０ｄ（図４，図９）が挿脱自在に挿入されるか、もしくは、後述するように右側のヘッドホン組立体１１Ｒ側に設けたカムピン５５（図５）が進退自在に嵌合できるようになっている。
【００４３】
また、第３枠体１５の円板部１５ａ上の内周側にリング部１５ｅが第２枠体１４の内周リング部１４ａの内径より一回り小さく突出形成されており、且つ、円板部１５ａ上でリング部１５ｅの外周に沿って略３等分した部位に係止孔１５ａ２が貫通して穿設されている。
【００４４】
そして、第１，第２枠体１３，１４で内側枠体を形成した時に、第２枠体１４の内周リング部１４ａが第３枠体１５のリング部１５ｅに位置決めされて嵌合し、且つ、第２枠体１４に形成した３箇所の係止爪１４ａ１が第３枠体１５に穿設した３箇所の係止孔１５ａ２に係合することで、前記した内側枠体（１３，１４）が第３枠体１５に結合できるようになっている。
【００４５】
更に、第３枠体１５の円板部１５ａ上で最外周に沿って３等分した部位に逃げ孔１５ａ３が貫通して穿設され、これら３箇所の逃げ孔１５ａ３を通してリング状外周面１５ｂの内壁に３箇所の係止爪１５ｆが形成されており、これら３箇所の係止爪１５ｆは後述する第５枠体１７と結合するためのものである。
【００４６】
次に、第４枠体１６は、円板部１６ａに沿ってリング状外周部１６ｂが高さを低くして形成され、且つ、円板部１６ａ上で中心部に第３枠体１５の内部に形成した軸部１５ｃの先端が進入可能な有底孔１６ｃ１を形成した小径のリング部１６ｃが高さを低くして形成されている。更に、第４枠体１６の円板部１６ａの外面１６ａ１は、メタルメッキ，カラー印刷などにより外観上見栄えの良い処理が施されている。そして、第４枠体１６は、下記するカップ状の第５枠体１７の内部に挿入された後に、第５枠体１７のカップ部１７ａの内側に貫通して穿設した大径孔１７ａ１内に臨んで一体化されるようになっている。
【００４７】
次に、第５枠体１７は、カップ状に形成したカップ部１７ａの頂点側に大径孔１７ａ１が貫通して穿設され、且つ、カップ部１７ａ上の周面にリング部１７ｂがカップ部１７ａの最大径より一回り小径に上方に向かって突出形成されている。また、第５枠体１７のリング部１７ｂで第３枠体１５の突出部１５ｄに対応した位置に逃げ用の切り欠き切き１７ｂ１が形成され、且つ、切り欠き切き１７ｂ１から離れた位置にコード挿入用の切り欠き切き１７ｂ２が形成されている。また、第５枠体１７のリング部１７ｂの周面に沿って略３等分した部位に係止孔１７ｂ３が形成されており、これら３箇所の係止孔１７ｂ３に第３枠体１５の内壁面に形成した３箇所の係止爪１５ｆが係合するようになっている。更に、第５枠体１７のカップ部１７ａの内壁面で周面に沿って略３等分した部位に係止爪１７ａ２が形成されており、これら３箇所の係止爪１７ａ２でカップ部１７ａ内に挿入された第４枠体１６のリング状外周部１６ｂを挟持できるようになっている。
【００４８】
そして、第４枠体１６を第５枠体１７内に係止し、且つ、第３枠体１５と第４，第５枠体１６，１７との間にコード巻き取り装置３０（図１）を収納した上で、第３枠体１５に形成した３箇所の係止爪１５ｆと第５枠体１７に形成した３箇所の係止孔１７ｂ３との係合により第３〜第５枠体１５〜１７を結合して、耳側から離れた外側枠体として枠組みしている。
【００４９】
更に、前述したように第２枠体１４に形成した３箇所の係止爪１４ａ１と第３枠体１５に形成した３箇所の係止孔１５ａ２との係合により、内側枠体（１３，１４）と外側枠体（１５〜１７）とを音響的に分離させた状態で突き合わせて一体的に結合することで、最終的に左側のヘッドホンハウジング１２Ｌ（左側のヘッドホン組立体１１Ｌ）と右側のヘッドホンハウジング１２Ｒ（右側のヘッドホン組立体１１Ｒ）とが形成される。
【００５０】
ここで、上記の状態を図１に断面して示すと、左右一対のヘッドホン組立体１１Ｌ，１１Ｒでは、左右一対のヘッドホンハウジング１２Ｌ，１２Ｒを第１枠体１３〜第５枠体１７でそれぞれ構成した時に、第１枠体１３と第２枠体１４との間に小型スピーカー２０が収納され、且つ、第３枠体１５と第４，第５枠体１６，１７との間にコード巻き取り装置３０が収納されている。
【００５１】
従って、左右一対のヘッドホン組立体１１Ｌ，１１Ｒでは、内側枠体（１３，１４）及び外側枠体（１５〜１７）が共に左右同じ構造形態であるので、各小型スピーカー２０に対する音響条件が左右で同じとなり、これにより左右でバランスの取れた音質特性を得ることができる。
【００５２】
更に、外側枠体（１５〜１７）側は、内側枠体（１３，１４）側の空気が入り込まないように第３筐体１５の円板部１５ａと、この円板部１５ａの内面上に貼り付けた配線基板３１とにより遮蔽されており、これにより内側枠体（１３，１４）内と外側枠体（１５〜１７）内とが音響的に分離しており、また、内側枠体（１３，１４）内に収納した小型スピーカー２０の裏側では第２筐体１４に形成した６個の空気抜き孔１４ｄから空気が外部に抜き出されるために、内側枠体（１３，１４）内で反響音が生じなくなり、小型スピーカー２０から音質の良い音声を出力することができる。
【００５３】
尚、実施例１では、左右のヘッドホンハウジング１２Ｌ，１２Ｒを第１枠体１３〜第５枠体１７で構成した場合を説明したが、小型スピーカー２０を収納する内側枠体と、コード巻き取り装置３０を収納する外側枠体とが音響的に分離できる構造形態ならば良く、枠体数は組み立て可能な数量で適宜枠組みすれば良い。
【００５４】
次に、第３枠体１５と第４，第５枠体１６，１７間に収納したコード巻き取り装置３０について、先に説明した図１，図２と、新たな図３とを併用して説明する。
【００５５】
図３に分解して示した如く、上記したコード巻き取り装置３０は、先に図２を用いて説明した第３枠体１５側から第４，第５枠体１６，１７側に向かって、配線基板３１と、巻き取りリール３３と、ゼンマイバネ３５と、ゼンマイバネ押さえ板３６と、リール押さえ板３７とが、第３枠体１５のリング状外周面１５ｂの内側に形成した軸部１５ｃを中心にして上記した順で同軸的に組み立てられている。
【００５６】
まず、配線基板３１は、絶縁性を有する樹脂材を用いて第３枠体１５内に形成した軸部１５ｃの基部に嵌合する中心孔３１ａを中心にして円板状に形成されており、且つ、配線基板３１の外径が下記する巻き取りリール３３に形成した第１円形凹部３３ｅの内径より一回り小径に形成されている。また、配線基板３１の面３１ｂは第３枠体１５のリング状外周面１５ｂ内の円板部１５ａの内面上の中心部位に軸部１５ｃで位置決めされて貼り付けられるものであり、この面３１ｂにワイヤ３２の一端がハンダ付けされて他端が第３枠体１５の円板部１５ａに穿設したワイヤ孔１５ａ１を通って小型スピーカー２０に向かって引き出されている。また、配線基板３１の面３１ｂに対して裏面となる面３１ｃには複数本のリング状導電性パターン（図示せず）が中心孔３１ａと同心的にぞれそれ径を違えて形成されており、これら複数本のリング状導電性パターンには下記する巻き取りリール３３の第１円形凹部３３ｅ内に設けた複数本の導電性ブラシ３４が摺接している。
【００５７】
尚、図１のみに示したように左側のヘッドホン組立体１１Ｌ側では渡りコード４２の一端が配線基板３１の面３１ｂにハンダ付けされて、この渡りコード４２の他端が第３枠体１５の円板部１５ａに穿設したワイヤ孔１５ａ１を通って右側のヘッドホン組立体１１Ｒ側の巻き取りリール３３に向かって引き出されている。
【００５８】
次に、巻き取りリール３３は、絶縁性を有する樹脂材を用いて第３枠体１５内に形成した軸部１５ｃに嵌合する中心孔３３ａを中心にして、第３枠体１５側に位置する大径リールフランジ部３３ｂと、リールボス部３３ｃと、第４，第５枠体１６，１７側に位置する小径リールフランジ部３３ｄとで“略エ字状”に一体的に形成されている。そして、巻き取りリール３３は、大径リールフランジ部３３ｂと小径リールフランジ部３３ｄとの間に形成したリールボス部３３に入力コード４１又は渡りコード４２が巻き取り可能になっている。
【００５９】
また、大径リールフランジ部３３ｂ側のリールボス部３３ｃ内には、第１円形凹部３３ｅが中心孔３３ａを中心にして同心的に浅い深さで形成されている。そして、巻き取りリール３３の第１円形凹部３３ｅ内に、導電性を有し且つ弾性があるバネ材を用いて複数本の導電性ブラシ３４が内周から外周に向かってそれぞれ径を違えて取り付けられている。更に、入力コード４１又は渡りコード４２がリールボス部３３ｃに形成したワイヤ孔３３ｃ１を通って上記した複数本の導電性ブラシ３４に接続され、これら複数本の導電性ブラシ３４が上記した配線基板３１の面３１ｃに形成した複数本のリング状導電性パターン（図示せず）に摺接することで、巻き取りリール３３が回転した時でも入力コード４１又は渡りコード４２からの音声信号を配線基板３１側に伝達できるようになっている。
【００６０】
また、大径リールフランジ部３３ｂの外周部の円周に沿って略４等分した部位には、リールロック用切り欠き部３３ｂ１が切り欠き形成されており、これら４箇所のリールロック用切り欠き部３３ｂ１については後述する図４，図５に示した左右一対のリールロック機構部５０Ｌ，５０Ｒで説明する。
【００６１】
また、小径リールフランジ部３３ｄ側のリールボス部３３ｃ内には、第２円形凹部３３ｆが中心孔３３ａを中心にして同心的に深い深さで形成されている。そして、巻き取りリール３３の第２円形凹部３３ｆ内には、下記するゼンマイバネ３５と、ゼンマイバネ押さえ板３６とが嵌め込まれている。
【００６２】
上記したゼンマイバネ３５は薄板状のバネが渦巻き状に巻回されている。一方、上記したゼンマイバネ押さえ板３６は、第３枠体１５内に形成した軸部１５ｃの上端部に嵌合する中心孔３６ａを中心に円板状に形成されており、且つ、中心孔３６ａを挟んでバネ性を得るために十字状溝３６ｂが形成されていると共に、外径が巻き取りリール３３の第２円形凹部３３ｆの内径よりも一回り小径に形成されている。
【００６３】
ここで、巻き取りリール３３の第２円形凹部３３ｆ内にゼンマイバネ３５を嵌め込んだ際、ゼンマイバネ３５の一端は第２円形凹部３３ｆ内の壁部に固着され、且つ、ゼンマイバネ３５の他端は第３枠体１５内に形成した軸部１５ｃのスリット（図示せず）に固着されている。更に、ゼンマイバネ３５の上方に押さえ板３６を設置することで、ゼンマイバネ３５が上方に飛び出すことを防止し、且つ、第３枠体１５内に形成した軸部１５ｃの上端部のスリット（図示せず）にリール押さえ板３７を嵌め込むことで、巻き取りリール３３が軸部１５ｃから抜け出すことを防止している。
【００６４】
そして、ゼンマイバネ３５のバネ力で巻き取りリール３３を回転させ、この回転に伴って入力コード４１又は渡りコード４２を巻き取りリール３３のリールボス部３３ｃに巻き取るようになっている。
【００６５】
次に、コード巻き取り装置３０内に設けた巻き取りリール３３をロックするリールロック機構５０Ｌ，５０Ｒについて、左側のヘッドホン組立体１１Ｌ側，右側のヘッドホン組立体１１Ｒ側に別けて図４，図５を用いて説明する。
【００６６】
まず、図４に示したように、左側のヘッドホン組立体１１Ｌでは、第３筐体１５の突出部１５ｄ内に形成した段付き孔１５ｄ１の大径孔内に左側の耳掛け４５Ｌの一端側が支持されており、且つ、耳掛け４５Ｌの一端側と反対の他端側に左側の耳掛けパッド４６Ｌが嵌め込まれている。
【００６７】
また、第３筐体１５のリング状外周面１５ｂ内で円板部１５ａ上にコード巻き取り装置３０を収納した場合に、第３筐体１５のリング状外周面１５ｂの外側の一部から突出した突出部１５ｄ側の円板部１５ａ上で、且つ、巻き取りリール３３の大径リールフランジ部３３ｂの外周部近傍に左側のリールロック機構部５０Ｌが設けられている。
【００６８】
上記した左側のリールロック機構部５０Ｌでは、板金材を用いて形成した左側のリールロックレバー５１Ｌが円板部１５ａ上に植設した軸５２Ｌを中心にして捩じりバネ５３Ｌによって常時時計方向に付勢されながら回動自在に設けられている。この際、リールロックレバー５１Ｌは、一端側に係止部５１Ｌａが上方に向かって折り曲げ形成されており、且つ、一端側と軸５２Ｌを介した他端側にリールロック解除部５１Ｌｂがピンを用いて上方に向かって植設されている。
【００６９】
そして、リールロックレバー５１Ｌが捩じりバネ５３Ｌの付勢力によって軸５２Ｌを中心に時計方向に回動した場合に、リールロックレバー５１Ｌの一端側に形成した係止部５１Ｌａが巻き取りリール３３の大径リールフランジ部３３ｂの外周部の円周に沿って略４等分した部位に形成した４箇所のリールロック用切り欠き部３３ｂ１のいずれか一つに係合することで巻き取りリール３３がロックされると共に、リールロックレバー５１Ｌの他端側にピンを用いて植設したリールロック解除部５１Ｌｂが第３筐体１５の突出部１５ｄ内に形成した段付き孔１５ｄ１の小径孔内に進入している。
【００７０】
この際、巻き取りリール３３がリールロックレバー５１Ｌによってロックされると、巻き取りリール３３は回転できないので入力コード４１を巻き取りリール３３に巻き取ることができない。
【００７１】
一方、入力コード４１を巻き取る場合に、使用者は入力プラグ４０の先端にφ３．５ｍｍの細径で形成したプラグ・スリーブ４０ａ（又は、入力プラグ４０のプラグ成型部にφ３．５ｍｍの細径で突出形成した凸部４０ｄ）を第３筐体１５の突出部１５ｄに形成した段付き孔１５ｄ１の小径孔内に挿入する。このプラグ・スリーブ４０ａ（又は、凸部４０ｄ）の挿入動作に伴って、プラグ・スリーブ４０ａ（又は、凸部４０ｄ）が段付き孔１５ｄ１の小径孔内に進入しているリールロックレバー５１Ｌの他端側のリールロック解除部５１Ｌｂを押すので、リールロックレバー５１Ｌは捩じりバネ５３Ｌに抗して軸５２Ｌを中心に反時計方向に回動するため、リールロックレバー５１Ｌの一端側に形成した係止部５１Ｌａが巻き取りリール３３の大径リールフランジ部３３ｂに形成したリールロック用切り欠き部３３ｂ１から離れ、巻き取りリール３３のロックが解除される。そして、巻き取りリール３３のロックが解除されると、入力コード４１の入出位置が図示の位置にあるので、巻き取りリール３３内に取り付けたゼンマイバネ３５（図１，図３）のバネ力で巻き取りリール３３が反時計方向に回転し、入力コード４１を巻き取りリール３３に巻き取ることができる。
【００７２】
この際、段付き孔１５ｄ１の小径孔内に入力プラグ４０のプラグ・スリーブ４０ａを挿入した場合には、プラグ・スリーブ４０ａの先端部が段付き孔１５ｄ１の大径孔内に支持した左側の耳掛け４５Ｌの一端側に段付き孔１５ｄ１の小径孔と略同径に形成した有底孔４５Ｌａ内に進入している。一方、段付き孔１５ｄ１の小径孔内に入力プラグ４０の凸部４０ｄを挿入した場合には、凸部４０ｄの長さがプラグ・スリーブ４０ａの長さよりも短く形成されているために凸部４０ｄは左側の耳掛け４５Ｌの有底孔４５Ｌａ内に進入しない。
【００７３】
尚、巻き取りリール３３に巻き取った入力コード４１を引き出す場合には、入力プラグ４０のプラグ・スリーブ４０ａ（又は、入力プラグ４０の凸部４０ｄ）を段付き孔１５ｄ１の小径孔内に挿入せず、且つ、リールロックレバー５１Ｌを捩じりバネ５３Ｌで時計方向に付勢したまま、巻き取りリール３３が時計方向に回転するように入力コード４１を引き出せば良い。この時、巻き取りリール３３の大径リールフランジ部３３ｂに形成したリールロック用切り欠き部３３ｂ１は、巻き取りリール３３の時計方向の回転に対してリールロックレバー５１Ｌの一端側に形成した係止部５１Ｌａが大径リールフランジ部３３ｂの外周に支障のなく添接できるように切り欠かれている。
【００７４】
次に、図５に示したように、右側のヘッドホン組立体１１Ｒでは、第３筐体１５の突出部１５ｄ内に形成した段付き孔１５ｄ１の大径孔内に右側の耳掛け４５Ｒの一端側が支持されており、且つ、耳掛け４５Ｒの一端側と反対の他端側に右側の耳掛けパッド４６Ｒが嵌め込まれている。
【００７５】
また、第３筐体１５のリング状外周面１５ｂ内で円板部１５ａ上にコード巻き取り装置３０を収納した場合に、第３筐体１５のリング状外周面１５ｂの外側の一部から突出した突出部１５ｄ側の円板部１５ａ上で、且つ、巻き取りリール３３の大径リールフランジ部３３ｂの外周部近傍に右側のリールロック機構部５０Ｒが設けられている。
【００７６】
上記したリールロック機構部５０Ｒでは、板金材を用いて形成したリールロックレバー５１Ｒが円板部１５ａ上に植設した軸５２Ｒを中心にして捩じりバネ５３Ｒによって常時反時計方向に付勢されながら回動自在に設けられている。この際、リールロックレバー５１Ｒは、一端側に係止部５１Ｒａが上方に向かって折り曲げ形成されており、且つ、一端側と軸５２Ｒを介した他端側にリールロック解除部５１Ｒｂがピンを用いて上方に向かって植設されている。
【００７７】
また、第３筐体１５の突出部１５ｄ内に形成した段付き孔１５ｄ１の大径孔内に嵌め込まれた右側の耳掛け４５Ｒの一端側に段付き孔１５ｄ１の小径孔と略同径の有底孔４５Ｒａが形成され、この有底孔４５Ｒａ内に圧縮バネ５４が嵌入されている。更に、段付き孔１５ｄ１の小径孔内にはカムピン５５が圧縮バネ５４に押されながら抜け防止が図られた状態で進退自在に嵌合している。
【００７８】
上記したカムピン５５は先端側が外部に露出しており、且つ、段付き孔１５ｄ１の小径孔内に嵌合している部位に先端側から圧縮バネ５４に向かってテーパカム部５５ａと、テーパカム部５５ａに連接した低い平坦部５５ｂと、低い平坦部５５ｂに連接した押圧壁部５５ｃとによる台形状凹部が形成されており、この台形状凹部（５５ａ〜５５ｃ）内にリールロックレバー５１Ｒの他端側にピンを用いて植設したリールロック解除部５１Ｒｂが進入しているので、カムピン５５はリールロック解除部５１Ｒｂによって段付き孔１５ｄ１の小径孔内からの抜け防止が図られている。更に、段付き孔１５ｄ１の小径孔内で押圧壁部５５ｃから先端側に向かって板バネ部５５ｄが形成されている。
【００７９】
そして、リールロックレバー５１Ｒが捩じりバネ５３Ｒの付勢力によって軸５２Ｒを中心に反時計方向に回動した場合に、リールロックレバー５１Ｒの一端側に形成した係止部５１Ｒａが巻き取りリール３３の大径リールフランジ部３３ｂの外周部の円周に沿って略４等分した部位に形成した４箇所のリールロック用切り欠き部３３ｂ１のいずれか一つに係合することで巻き取りリール３３がロックされると共に、リールロックレバー５１Ｒの他端側にピンを用いて植設したリールロック解除部５１Ｒｂが第３筐体１５の突出部１５ｄ内に形成した段付き孔１５ｄ１の小径孔内でカムピン５５に形成した台形状凹部（５５ａ〜５５ｃ）内に進入している。言い換えると、リールロックレバー５１Ｒの他端側にピンを用いて植設したリールロック解除部５１Ｒｂがカムピン５５に形成したテーパカム部５５ａの近傍に進入している。
【００８０】
この際、巻き取りリール３３がリールロックレバー５１Ｒによってロックされると、巻き取りリール３３は回転できないので渡りコード４２（図１，図３）を巻き取りリール３３に巻き取ることができない。
【００８１】
一方、渡りコード４２（図１，図３）を巻き取る場合に、使用者は第３筐体１５の突出部１５ｄ内に形成した段付き孔１５ｄ１の小径孔内に嵌合したカムピン５５を圧縮バネ５４に抗して矢印方向に押し込むと、カムピン５５に形成したテーパカム部５５ａが段付き孔１５ｄ１の小径孔内に進入しているリールロックレバー５１Ｒの他端側のリールロック解除部５１Ｒｂを押すので、リールロックレバー５１Ｒは捩じりバネ５３Ｒに抗して軸５２Ｒを中心に時計方向に回動するため、リールロックレバー５１Ｒの一端側に形成した係止部５１Ｒａが巻き取りリール３３の大径リールフランジ部３３ｂに形成したリールロック用切り欠き部３３ｂ１から離れ、巻き取りリール３３のロックが解除される。そして、巻き取りリール３３のロックが解除されると、渡りコード４２の入出位置が図示の位置にあるので、巻き取りリール３３内に取り付けたゼンマイバネ３５（図１，図３）のバネ力で巻き取りリール３３が時計方向に回転し、渡りコード４２（図１，図３）を巻き取りリール３３に巻き取ることができる。
【００８２】
尚、巻き取りリール３３に巻き取った渡りコード４２を引き出す場合には、カムピン５５を段付き孔１５ｄ１の小径孔内に押し込まず、且つ、リールロックレバー５１Ｒを捩じりバネ５３Ｒで反時計方向に付勢したまま、巻き取りリール３３が反時計方向に回転するように渡りコード４２を引き出せば良い。この時、巻き取りリール３３の大径リールフランジ部３３ｂに形成したリールロック用切り欠き部３３ｂ１は、巻き取りリール３３の反時計方向の回転に対してリールロックレバー５１Ｒの一端側に形成した係止部５１Ｒａが大径リールフランジ部３３ｂの外周に支障のなく添接できるように切り欠かれている。
【００８３】
そして、上記のように構成した本発明に係る実施例１のコード巻き取り装置付きヘッドホン１０を使用する時には、図６に示したように、左右一対のヘッドホン組立体１１Ｌ，１１Ｒを左右一対の耳掛け４５Ｌ，４５Ｒにより左右の耳に装着している。
【００８４】
ここで、左側のヘッドホンハウジング１２Ｌ内からＡＶ機器接続用の入力コード４１を引き延ばしてこの入力コード４１の先端に取り付けた入力プラグ４０をＡＶ機器に差し込んでいる。
【００８５】
一方、左側のヘッドホンハウジング１２Ｌと右側のヘッドホンハウジング１２Ｒとの間に掛け渡した渡りコード４２を右側のヘッドホンハウジング１２Ｒ内から引き延ばしている。これにより、ＡＶ機器からの左右（ＬＲ）の音声信号を左側のヘッドホン組立体１１Ｌ内に取り込むことで、左右の音声信号のうちで左側の音声信号は左側のヘッドホンハウジング１２Ｌ内に収納した小型スピーカ２０（図１）から左耳側に出力され、一方、右側の音声信号は渡りコード４２を介して右側のヘッドホンハウジング１２Ｒ内に収納した小型スピーカー２０（図１）から右耳側に出力される。
【００８６】
この際、図７に示した如く、入力コード４１の先端に取り付けた入力プラグ４０は、φ３．５ｍｍで細径に形成した先端部位に、プラグ・スリーブ４０ａとプラグ・リング４０ｂとプラグ・チップ４０ｃとを順に形成し、ＡＶ機器から出力された左右（ＬＲ）の音声信号のうちでＬ，Ｒ共通の（−）信号をプラグ・スリーブ４０ａから入力し、且つ、Ｒｃｈの（＋）信号をプラグ・リング４０ｂから入力すると共に、Ｌｃｈの（＋）信号をプラグ・チップ４０ｃから入力し、この後、上記した各信号を入力コード４１を介して左側に設けた３本の導電性ブラシ３４から左側の配線基板３１に入力し、更に、左側の音声信号を左側の配線基板３１にハンダ付けしたワイヤ３２を介して左側の小型スピーカー２０に入力する一方、右側の音声信号を左側の配線基板３１にハンダ付けした渡りコード４２を介して右側に設けた２本の導電性ブラシ３４から右側の配線基板３１に入力し、右側の音声信号を右側の配線基板３１にハンダ付けしたワイヤ３２を介して右側の小型スピーカー２０に入力している。
【００８７】
次に、図８に示した如く、本発明に係る実施例１のコード巻き取り装置付きヘッドホン１０を使用しない不使用時に、左側のヘッドホン組立体１１Ｌ側で、入力プラグ４０の先端にφ３．５ｍｍの細径で形成したプラグ・スリーブ４０ａの操作により入力コード４１を巻き取る場合には、入力プラグ４０のプラグ・スリーブ４０ａを左側のヘッドホンハウジング１２Ｌの第３枠体１５の突出部１５ｄ内に穿設した段付き孔１５ｄ１の小径孔内に収納することで、入力コード４１を左側のヘッドホンハウジング１２Ｌ内に収納したコード巻き取り装置３０（図１，図３，図４）に巻き取ることができる。
【００８８】
一方、右側のヘッドホン組立体１１Ｒ側で、右側のヘッドホンハウジング１２Ｒの第３枠体１５の突出部１５ｄ内に穿設した段付き孔１５ｄ１の小径孔内で進退するカムピン５５の操作により渡りコード４２を巻き取る場合には、カムピン５５を突出部１５ｄ内に穿設した段付き孔１５ｄ１の小径孔内に押し込むことで、渡りコード４２を右側のヘッドホンハウジング１２Ｒ内に収納したコード巻き取り装置３０（図１，図３，図５））に巻き取ることができる。
【００８９】
また、図９に示した如く、左側のヘッドホン組立体１１Ｌ側で、入力プラグ４０のプラグ成型部にφ３．５ｍｍの細径で突出形成した凸部４０ｄの操作により入力コード４１を巻き取る場合には、入力プラグ４０のプラグ・スリーブ４０ａをＡＶ機器に挿入したまま、入力プラグ４０の凸部４０ｄを左側のヘッドホンハウジング１２Ｌの第３枠体１５の突出部１５ｄ内に穿設した段付き孔１５ｄ１の小径孔内に収納することで、入力コード４１側をＡＶ機器に装着したまま入力コード４１を左側のヘッドホンハウジング１２Ｌ内に収納したコード巻き取り装置３０（図１，図３，図４）に巻き取ることができる。
【００９０】
勿論、渡りコード４２を右側のヘッドホン組立体１１Ｒ側のヘッドホンハウジング１２Ｒ内に収納したコード巻き取り装置３０（図１，図３，図５））に巻き取る場合には図８と同様にカムピン５５を操作すれば良い。
【００９１】
このように、コード巻き取り装置付きヘッドホン１０を使用しない不使用時には、入力コード４１と渡りコード４２とが共に左右一対のヘッドホンハウジング１２Ｌ，１２Ｒ内に収納した一対のコード巻き取り装置３０，３０に巻き取られるので、入力コード４１及び渡りコード４２の収納処理が良好に行われ、且つ、外観上の見栄えも良好に得られる。更に、小型スピーカー２０と、コード巻き取り装置３０とを左右一対のヘッドホンハウジング１２Ｌ，１２Ｒ内に共に収納しているため、左右一対のヘッドホンハウジング１２Ｌ，１２Ｒを共用できる。
【実施例２】
【００９２】
図１０は本発明に係る実施例２のコード巻き取り装置付きヘッドホンを示し、且つ、使用時に入力コード及び渡りコードを左右一対のヘッドホンハウジング内からそれぞれ引き出した状態を示した図、
図１１は本発明に係る実施例２のコード巻き取り装置付きヘッドにおいて、左側のヘッドホン組立体を示した平面図、
図１２は本発明に係る実施例２のコード巻き取り装置付きヘッドにおいて、右側のヘッドホン組立体を示した平面図、
図１３は本発明に係る実施例２のコード巻き取り装置付きヘッドにおいて、右側のヘッドホン組立体中でリールロック機構部のリールロックレバーへのリールロック解除動作を説明するための図、
図１４は本発明に係る実施例２のコード巻き取り装置付きヘッドホンにおいて、不使用時に入力コード及び渡りコードを左右一対のヘッドホンハウジング内にそれぞれ巻き取った第１状態を示した図、
図１５は本発明に係る実施例２のコード巻き取り装置付きヘッドホンにおいて、不使用時に入力コード及び渡りコードを左右一対のヘッドホンハウジング内にそれぞれ巻き取った第２状態を示した図である。
【００９３】
図１０に示した本発明に係る実施例２のコード巻き取り装置付きヘッドホン１０’は、先に説明した本発明に係る実施例１のコード巻き取り装置付きヘッドホン１０の構成と一部を除いて同様の構成であり、ここでは説明の便宜上、先に示した構成部材に対しては同一の符号を付して図示し、且つ、実施例１と異なる構成部材に新たな符号を付して、異なる点を中心にして説明する。
【００９４】
上記した本発明に係る実施例２のコード巻き取り装置付きヘッドホン１０’は、先に説明した実施例１のコード巻き取り装置付きヘッドホン１０に対して一部改良を図ったものであり、即ち、使用者が実施例１のコード巻き取り装置付きヘッドホン１０のヘッドホン組立体１１Ｌ，１１Ｒを左右の耳に装着している状態で、故意に図５で説明した右側のヘッドホン組立体１１Ｒ側に設けたカムピン５５を押し込むと、右側のリールロックレバー５１Ｒによる巻き取りリール３３へのリールロックが解除されるため、渡りコード４２が右側の巻き取りリール３３に巻き取られるので、渡りコード４２が使用者の首にひっかかったり、あるいは、渡りコード４２の引っ張り力で右側のヘッドホン組立体１１Ｒが右耳から外れるなどの問題が発生する恐れがある。
【００９５】
上記の問題点を避けるために、実施例２のコード巻き取り装置付きヘッドホン１０’では、ヘッドホン組立体１１Ｌ’，１１Ｒ’を使用者の左右の耳に装着しない不使用時にのみ右側のヘッドホン組立体１１Ｒ’に設けたリールロック機構部５０Ｒ’のリールロックレバー５１Ｒ’による巻き取りリール３３へのリールロックを解除できるようにして、渡りコード４２を右側のヘッドホン組立体１１Ｒに設けた巻き取りリール３３に巻き取るように構成したものであり、この改良に伴って、実施例２では左右のヘッドホン組立体１１Ｌ’，１１Ｒ’のヘッドホンハウジング１２Ｌ’，１２Ｒ’中で左側の第３枠体１５Ｌ’と、右側の第３枠体１５Ｒ’と、右側のリールロック機構部５０Ｒ’のリールロックレバー５１Ｒ’とを一部改良している。
【００９６】
尚、実施例２において、左側のヘッドホン組立体１１Ｌ中でリールロック機構部５０Ｌのリールロックレバー５１Ｌによる巻き取りリール３３へのリールロック解除は、実施例１と同じように入力プラグ４０のプラグ・スリーブ４０ａ又は入力プラグ４０の凸部４０ｄを第３枠体１５Ｌ’に突出形成した突出部１５ｄ’の段付き孔１５ｄ１内に挿入する構造であるので説明を省略する。
【００９７】
より具体的に説明すると、図１０及び図１１に示した如く、左側のヘッドホン組立体１１Ｌ’では、第３枠体１５Ｌ’のリング状外周面１５ｂ（図１１のみ図示）の外側の一部からアーム状に突出形成した突出部１５ｄ’の外側面に、突き出しピン１５ｄ２が一体的に突出形成されている。この際、突き出しピン１５ｄ２は、図１１に拡大して示したように突出部１５ｄ’の外側面のうちで入力プラグ４０のプラグ・スリーブ４０ａが進入する段付き孔１５ｄ１の小径孔の近傍でこの段付き孔１５ｄ１に対して略直角に外側に向かって突出形成されている。
【００９８】
一方、図１０及び図１２に示した如く、右側のヘッドホン組立体１１Ｒ’では、第３枠体１５Ｒ’のリング状外周面１５ｂ（図１２のみ図示）の外側の一部からアーム状に突出形成した突出部１５ｄ’’の外側面から内部横方向に向かってリールロック解除用孔１５ｄ３が貫通して穿設されており、且つ、このリールロック解除用孔１５ｄ３内に左側の第３枠体１５Ｌ’の突出部１５ｄ’に突出形成した突き出しピン１５ｄ２が挿脱自在になっている。
【００９９】
この際、右側の第３枠体１５Ｒ’の円板部１５ａ上で突出部１５ｄ’’側には、板金材を用いて形成した右側のリールロックレバー５１Ｒ’が円板部１５ａ上に植設した軸５２Ｒを中心にして捩じりバネ５３Ｒによって常時反時計方向に付勢されながら回動自在に設けられている。このリールロックレバー５１Ｒ’は、一端側で上方に向かって折り曲げ形成された係止部５１Ｒａが巻き取りリール３３の大径リールフランジ部３３ｂに形成したリールロック用切り欠き部３３ｂ１に対して接離可能になっていると共に、一端側と軸５２Ｒを介した他端側で上方に向かって折り曲げ形成されたリールロック解除部５１Ｒｂ’がリールロック解除用孔１５ｄ３内に臨んでいる。
【０１００】
上記のように構成した実施例２のコード巻き取り装置付きヘッドホン１０’のヘッドホン組立体１１Ｌ’，１１Ｒ’を使用者の左右の耳から取り外した不使用時に、図１３に示した如く、左側のヘッドホン組立体１１Ｌ’中の第３枠体１５Ｌ’の突出部１５ｄ’と、右側のヘッドホン組立体１１Ｒ’中の第３枠体１５Ｒ’の突出部１５ｄ’’とを互いに対向させて、左側の第３枠体１５Ｌ’の突出部１５ｄ’の外側面に突出形成した突き出しピン１５ｄ２を右側の第３枠体１５Ｒ’の突出部１５ｄ’’の外側面から内部に向かって穿設したリールロック解除用孔１５ｄ３内に進入させ、突き出しピン１５ｄ２でリールロック解除用孔１５ｄ３内に臨んでいるリールロックレバー５１Ｒ’のリールロック解除部５１Ｒｂ’を押すと、リールロックレバー５１Ｒ’は捩じりバネ５３Ｒに抗して軸５２Ｒを中心に時計方向に回動するため、リールロックレバー５１Ｒ’の一端側に形成した係止部５１Ｒａが巻き取りリール３３の大径リールフランジ部３３ｂに形成したリールロック用切り欠き部３３ｂ１から離れ、巻き取りリール３３のロックが解除される。そして、巻き取りリール３３のロックが解除されると、巻き取りリール３３内に取り付けたゼンマイバネ３５（図１，図３）のバネ力で巻き取りリール３３が時計方向に回転し、渡りコード４２を巻き取りリール３３に巻き取ることができる。
【０１０１】
上記したように、実施例２では、コード巻き取り装置付きヘッドホン１０’の左右のヘッドホン組立体１１Ｌ’，１１Ｒ’を使用者の左右の耳から取り外さないかぎり、渡りコード４２を右側のヘッドホン組立体１１Ｒ’側に巻き取ることができないため、渡りコード４２が使用者の首にひっかかったり、あるいは、渡りコード４２の巻き取り力で右側のヘッドホン組立体１１Ｒが右耳から外れるなどの問題が発生する恐れが全くないので、コード巻き取り装置付きヘッドホン１０’に対して安全性及び使用勝手を向上させることができる。
【０１０２】
そして、この実施例２のコード巻き取り装置付きヘッドホン１０’でも、先に実施例１で説明した図８又は図９と対応させて図１４又は図１５に示した如く、左側のヘッドホン組立体１１Ｌ’側では、入力プラグ４０のプラグ・スリーブ４０ａ又は入力プラグ４０の凸部４０ｄを左側のヘッドホンハウジング１２Ｌ’の第３枠体１５Ｌ’の突出部１５ｄ’内に穿設した段付き孔１５ｄ１の小径孔内に収納することで、入力コード４１を左側のヘッドホンハウジング１２Ｌ’内に収納したコード巻き取り装置３０（図１，図３，図４）に巻き取ることができる。
【０１０３】
一方、右側のヘッドホン組立体１１Ｒ’側では、左側のヘッドホンハウジング１２Ｌ’の第３枠体１５Ｌ’の突出部１５ｄ’に突出形成した突き出しピン１５ｄ２を右側のヘッドホンハウジング１２Ｒ’の第３枠体１５Ｒ’の突出部１５ｄ’’内に穿設したリールロック解除用孔１５ｄ３内に挿入することで、渡りコード４２を右側のヘッドホンハウジング１２Ｒ’内に収納したコード巻き取り装置３０（図１，図３，図４）に巻き取ることができる。
【図面の簡単な説明】
【０１０４】
【図１】本発明に係る実施例１のコード巻き取り装置付きヘッドホンを断面して示した構成図である。
【図２】図１に示した左右一対のヘッドホンハウジングを分解して示した分解斜視図である。
【図３】図１に示した左右一対のコード巻き取り装置を分解して示した分解斜視図である。
【図４】本発明に係る実施例１のコード巻き取り装置付きヘッドにおいて、左側のヘッドホン組立体を示した平面図である。
【図５】本発明に係る実施例１のコード巻き取り装置付きヘッドにおいて、右側のヘッドホン組立体を示した平面図である。
【図６】本発明に係る実施例１のコード巻き取り装置付きヘッドホンにおいて、使用時に入力コード及び渡りコードを左右一対のヘッドホンハウジング内からそれぞれ引き出した状態を示した図である。
【図７】入力プラグから入力コード及び渡りコードを介して左右一対の小型スピーカーに結線した状態を説明するための図である。
【図８】本発明に係る実施例１のコード巻き取り装置付きヘッドホンにおいて、不使用時に入力コード及び渡りコードを左右一対のヘッドホンハウジング内にそれぞれ巻き取った第１状態を示した図である。
【図９】本発明に係る実施例１のコード巻き取り装置付きヘッドホンにおいて、不使用時に入力コード及び渡りコードを左右一対のヘッドホンハウジング内にそれぞれ巻き取った第２状態を示した図である。
【図１０】本発明に係る実施例２のコード巻き取り装置付きヘッドホンを示し、且つ、使用時に入力コード及び渡りコードを左右一対のヘッドホンハウジング内からそれぞれ引き出した状態を示した図である。
【図１１】本発明に係る実施例２のコード巻き取り装置付きヘッドにおいて、左側のヘッドホン組立体を示した平面図である。
【図１２】本発明に係る実施例２のコード巻き取り装置付きヘッドにおいて、右側のヘッドホン組立体を示した平面図である。
【図１３】本発明に係る実施例２のコード巻き取り装置付きヘッドにおいて、右側のヘッドホン組立体中でリールロック機構部のリールロックレバーへのリールロック解除動作を説明するための図である。
【図１４】本発明に係る実施例２のコード巻き取り装置付きヘッドホンにおいて、不使用時に入力コード及び渡りコードを左右一対のヘッドホンハウジング内にそれぞれ巻き取った第１状態を示した図である、
【図１５】本発明に係る実施例２のコード巻き取り装置付きヘッドホンにおいて、不使用時に入力コード及び渡りコードを左右一対のヘッドホンハウジング内にそれぞれ巻き取った第２状態を示した図である。
【図１６】従来のコード巻き取り装置付きヘッドホンを人間の左右の耳に装着した状態を説明するための図である。
【図１７】従来のコード巻き取り装置付きヘッドホンにおいて、使用時に入力コードを一方のヘッドホンハウジング内から引き出した状態を示した図である。
【図１８】従来のコード巻き取り装置付きヘッドホンにおいて、不使用時に入力コードを一方のヘッドホンハウジング内に巻き取った状態を示した図である。
【符号の説明】
【０１０５】
１０…実施例１のコード巻き取り装置付きヘッドホン、
１０’…実施例２のコード巻き取り装置付きヘッドホン、
１１Ｌ，１１Ｒ…実施例１の左右一対のヘッドホン組立体、
１１Ｌ’，１１Ｒ’…実施例２の左右一対のヘッドホン組立体、
１２Ｌ，１２Ｒ…実施例１の左右一対のヘッドホンハウジング、
１２Ｌ’，１２Ｒ’…実施例２の左右一対のヘッドホンハウジング、
１３…第１枠体、１４…第２枠体、１４ａ…内周リング部、１４ｂ…外周リング部、
１４ｃ…ステイ部、１４ｄ…空気抜き孔、
１５…実施例１の第３枠体、１５ａ…円板部、１５ｂ…リング状外周面、
１５ｃ…軸部、１５ｄ…突出部、１５ｄ１…段付き孔、
１５Ｌ’，１５Ｒ’…実施例２の第３枠体、
１５ｄ’…左側の突出部（実施例２）、１５ｄ’’…右側の突出部（実施例２）、
１５ｄ２…突き出しピン、１５ｄ３…リールロック解除用孔、
１６…第４枠体、１７…第５枠体、
１３，１４…内側枠体、１５〜１７…外側枠体、
２０…小型スピーカー、
３０…コード巻き取り装置、
３１…配線基板、３２…ワイヤ、
３３…巻き取りリール、３３ａ…中心孔、
３３ｂ…大径リールフランジ部、３３ｂ１…リールロック用切り欠き部、
３３ｃ…リールボス部、３３ｄ…小径リールフランジ部、
３３ｅ…第１円形凹部、３３ｆ…第２円形凹部、
３４…導電性ブラシ、３５…ゼンマイバネ、
３６…ゼンマイバネ押さえ板、３７…リール押さえ板、
４０…入力プラグ、４０ａ…プラグ・スリーブ、４０ｄ…凸部、
４１…入力コード、４２…渡りコード、
４５Ｌ，４５Ｒ…左右一対の耳掛け、４５Ｌａ，４５Ｒａ…有底孔、
４６Ｌ，４６Ｒ…左右一対の耳掛けパッド、
５０Ｌ，５０Ｒ…実施例１の左右一対のリールロック機構部、
５０Ｌ，５０Ｒ’…実施例２の左右一対のリールロック機構部、
５１Ｌ…左側のリールロックレバー、
５１Ｌａ…係止部、５１Ｌｂ…リールロック解除部（ピン）、
５２Ｌ…軸、５３Ｌ…捩じりバネ、
５１Ｒ…実施例１の右側のリールロックレバー、
５１Ｒ’…実施例２の右側のリールロックレバー、
５１Ｒａ…係止部、５１Ｒｂ…リールロック解除部（実施例１）、
５１Ｒｂ’…リールロック解除部（実施例２）
５２Ｒ…軸、５３Ｒ…捩じりバネ、
５４…圧縮バネ、
５５…カムピン、５５ａ…テーパカム部、５５ｂ…低い平坦部、５５ｃ…押圧壁部、
５５ａ〜５５ｃ…台形状凹部。
【図１】
2008312254.tif 000003
【図２】
2008312254.tif 000004
【図３】
2008312254.tif 000005
【図４】
2008312254.tif 000006
【図５】
2008312254.tif 000007
【図６】
2008312254.tif 000008
【図７】
2008312254.tif 000009
【図８】
2008312254.tif 000010
【図９】
2008312254.tif 000011
【図１０】
2008312254.tif 000012
【図１１】
2008312254.tif 000013
【図１２】
2008312254.tif 000014
【図１３】
2008312254.tif 000015
【図１４】
2008312254.tif 000016
【図１５】
2008312254.tif 000017
【図１６】
2008312254.tif 000018
【図１７】
2008312254.tif 000019
【図１８】
2008312254.tif 000020